(57)【要約】【課題】ブーツに破損が生じることを防止しつつ、ブーツの圧入装着作業に要する作業時間及び労力の低減を図ることができるブーツ圧入用治具を提供すること。【解決手段】ソケット１により保持されソケット１と共にボールジョイント２を構成するボールスタッド３のスタッド部３ａにブーツ４を圧入装着するためのブーツ圧入用治具であって、交差部を軸にして相対的に回動可能な一対の交差部材５，６に、開閉する一対の把持部７，８及び一対の挟持部９，１０を設けてあり、一対の挟持部は、ブーツ４の一端側に設けられたフランジ部４ａを押圧可能なリング状に形成された第一挟持部９と、スタッド部３ａに外嵌され第一挟持部９によってフランジ部４ａが押圧される状態のブーツ４とでソケット１を挟み込むことができるようにソケット１の裏面側に当接可能に構成された第二挟持部１０とで構成されている。【選択図】図２
0003166040.tif 000002
【実用新案登録請求の範囲】
【請求項１】
ソケットにより保持され該ソケットと共にボールジョイントを構成するボールスタッドのスタッド部にブーツを圧入装着するためのブーツ圧入用治具であって、
交差部を軸にして相対的に回動可能な一対の交差部材に、開閉する一対の把持部及び一対の挟持部を設けてあり、
前記一対の挟持部は、前記ブーツの一端側に設けられたフランジ部を押圧可能なリング状に形成された第一挟持部と、前記スタッド部に外嵌され前記第一挟持部によって前記フランジ部が押圧される状態の前記ブーツとで前記ソケットを挟み込むことができるように該ソケットの裏面側に当接可能に構成された第二挟持部とで構成されているブーツ圧入用治具。
【請求項２】
前記第二挟持部がリング状に形成されている請求項１に記載のブーツ圧入用治具。
【請求項３】
前記第一挟持部における前記ブーツのフランジ部に当接する側の端部を、前記フランジ部の上面全体にわたって当接するように構成してある請求項１または２に記載のブーツ圧入用治具。
【請求項４】
前記一対の交差部材における前記交差部の位置を可変としてある請求項１〜３の何れか一項に記載のブーツ圧入用治具。
【請求項５】
前記ソケット及びボールスタッドはロアアームまたはタイロッドエンドに設けられている請求項１〜４の何れか一項に記載のブーツ圧入用治具。
【考案の詳細な説明】
【技術分野】
【０００１】
この考案は、例えば自動車のリンク機構の接合部に用いられるボールジョイントにおけるブーツの組付けに用いて好適なブーツ圧入用治具に関する。
【背景技術】
【０００２】
例えば、自動車のロアアームやタイロッドエンド等に設けられるボールジョイントは、防塵のためにゴム等からなるブーツを備え、このブーツは、ボールジョイントを構成するボールスタッドのスタッド部に圧入装着された状態で用いられる。
【０００３】
そして、ブーツをスタッド部に圧入装着するための従来の方法は、予めブーツをある程度スタッド部の外側に嵌め込んだ状態とした上で、ブーツのフランジ（耳）部とボールジョイントを構成するソケットとをプライヤ等の工具で挟み、その挟む位置をフランジ部の周方向に少しずつずらすことにより、フランジ部の全周が均一に所定位置にまで嵌め込まれた状態となるようにする、というものである。
【考案の概要】
【考案が解決しようとする課題】
【０００４】
しかし、上記従来の方法では、作業時間が長くなる上、ブーツのフランジ部をプライヤ等の工具によって挟んだときにフランジ部に傷が付く虞もある。
【０００５】
また、上記方法の他に、金属製の専用治具をブーツに被せ、この専用治具をハンマーで叩いてブーツを圧入する、という方法もある。しかし、この方法では、ボールジョイントのソケット及びボールスタッドが取り付けられたロアアーム等が、自動車に組み付けられていてしっかりと固定することのできない状態であると、ハンマーで専用治具を叩いたときにロアアーム等が動いて力がうまく伝わらず、作業効率が低下する。さらに、作業者に熟練した技術が無いと、圧入後のブーツが傾いた不良状態となったりハンマーによってブーツに傷が付いたりする虞もある。
【０００６】
本考案は上述の事柄に留意してなされたもので、その目的は、ブーツに破損が生じることを防止しつつ、ブーツの圧入装着作業に要する作業時間及び労力の低減を図ることができるブーツ圧入用治具を提供することにある。
【課題を解決するための手段】
【０００７】
上記目的を達成するために、本考案に係るブーツ圧入用治具は、ソケットにより保持され該ソケットと共にボールジョイントを構成するボールスタッドのスタッド部にブーツを圧入装着するためのブーツ圧入用治具であって、交差部を軸にして相対的に回動可能な一対の交差部材に、開閉する一対の把持部及び一対の挟持部を設けてあり、前記一対の挟持部は、前記ブーツの一端側に設けられたフランジ部を押圧可能なリング状に形成された第一挟持部と、前記スタッド部に外嵌され前記第一挟持部によって前記フランジ部が押圧される状態の前記ブーツとで前記ソケットを挟み込むことができるように該ソケットの裏面側に当接可能に構成された第二挟持部とで構成されている（請求項１）。
【０００８】
前記ブーツ圧入用治具において、前記第二挟持部がリング状に形成されていてもよい（請求項２）。
【０００９】
前記ブーツ圧入用治具において、前記第一挟持部における前記ブーツのフランジ部に当接する側の端部を、前記フランジ部の上面全体にわたって当接するように構成してあってもよい（請求項３）。
【００１０】
前記ブーツ圧入用治具において、前記一対の交差部材における前記交差部の位置を可変としてあってもよい（請求項４）。
【００１１】
前記ブーツ圧入用治具において、前記ソケット及びボールスタッドはロアアームまたはタイロッドエンドに設けられていてもよい（請求項５）。
【考案の効果】
【００１２】
請求項１〜５に係る考案では、ブーツに破損が生じることを防止しつつ、ブーツの圧入装着作業に要する作業時間及び労力の低減を図ることができるブーツ圧入用治具が得られる。
【００１３】
すなわち、請求項１〜５に係る考案のブーツ圧入用治具では、一対の把持部を閉じるように動かすだけでブーツを圧入装着することができ、その圧入装着作業を短時間かつ低労力で行うことができる。
【００１４】
しかも、上記ブーツ圧入用治具には以下のような効果もある。すなわち、上述したプライヤ等の工具でブーツのフランジ部を挟む従来の方法では、ブーツのフランジ部に局所的に大きな力が加わることになり、また、ブーツに専用治具を被せてハンマーで叩く他の上記従来の方法ではブーツに大きな衝撃が加わることになるので、両方法には共にブーツに破損が生じ易いというデメリットがある。しかし、本考案のブーツ圧入用治具では、ブーツのフランジ部全体に対して、略均一に、かつ、ゆっくりと力を加えて圧入装着作業を行えるので、ブーツに破損が発生することを効果的に防止することができる。
【００１５】
請求項２に係る考案のブーツ圧入用治具では、ソケットの裏面に例えば凸部が存在しても、リング状とした第二挟持部に凸部を回避させることができるので、第二挟持部をソケットの裏面側に安定性良く当接させ、ブーツの圧入装着作業を良好に行うことが可能である。
【００１６】
請求項３に係る考案のブーツ圧入用治具では、第一挟持部の端部をブーツのフランジ部の上面全体にわたって当接させ、ブーツの圧入装着作業の際にブーツのフランジ部全体に対して略均一に力を加えることができ、ブーツに破損が発生することを一層確実に防止することができる。
【００１７】
請求項４に係る考案のブーツ圧入用治具では、一対の交差部材における交差部の位置が可変であるので、ソケット、ブーツの大きさ等に応じて一対の挟持部の間隔を調整して、ブーツの圧入装着作業をより確実かつ良好に行えるようにすることができる。
【図面の簡単な説明】
【００１８】
【図１】本考案の一実施の形態に係るブーツ圧入用治具の構成を概略的に示す斜視図である。
【図２】（Ａ）及び（Ｂ）は、前記ブーツ圧入用治具を用いてブーツを圧入装着する手順を概略的に示す説明図である。
【考案を実施するための形態】
【００１９】
本考案の実施の形態について図面を参照しながら以下に説明する。
【００２０】
まず、本実施の形態に係るブーツ圧入用治具（以下、治具と略称する）は、ソケット１により保持されソケット１と共にボールジョイント２を構成するボールスタッド３のスタッド部３ａにブーツ４を圧入装着するためのものである（図２（Ａ）参照）。
【００２１】
図２（Ａ）に示すように、本実施形態のボールジョイント２はタイロッドエンドに設けられるものであるが、これに限らず、例えばロアアーム等に設けられるものであってもよい。
【００２２】
ボールスタッド３は金属製の剛性部材であり、ソケット１内に収容保持される図外のボール部と、ソケット１外に突出し軸となるスタッド部３ａとで構成されている。
【００２３】
そして、本実施形態の治具は、図１に示すように、交差部を軸にして相対的に回動可能な一対の交差部材５，６に、開閉する一対の把持部７，８及び一対の挟持部９，１０を設けたものである。
【００２４】
一対の挟持部９，１０は、ブーツ４の一端側に設けられたフランジ部（耳部）４ａを押圧可能なリング状に形成された第一挟持部９と、スタッド部３ａに外嵌され第一挟持部９によってフランジ部４ａが押圧される状態のブーツ４とでソケット１を挟み込むことができるようにソケット１の裏面側に当接可能に構成された第二挟持部１０とで構成されている。
【００２５】
本実施形態の治具を用いてスタッド部３ａにブーツ４を圧入装着するには、図２（Ａ）に示すように、予めブーツ４をスタッド部３ａの外側にある程度嵌め込んだ状態としておき、その上で、治具の第一挟持部９をブーツ４のフランジ部４ａに当接させ、第二挟持部１０をソケット１の裏面側（下面側）に当接させる。そして、この状態で一対の把持部７，８を閉じるように動かせば、この操作によって一対の挟持部９，１０も閉じるように作動し、やがてブーツ４はスタッド部３ａに圧入装着された状態となる（図２（Ｂ）参照）。以上でブーツ４の装着作業は完了し、その後、一対の把持部７，８を開くように動かせば、一対の挟持部９，１０をボールジョイント２から離間させることができる。
【００２６】
このように、本実施形態の治具によれば、ブーツ４を圧入装着するのに一対の把持部７，８を閉じるように動かすだけでよく、その圧入装着作業を短時間かつ低労力で行うことができる。
【００２７】
しかも、本実施形態の治具には以下のような効果もある。すなわち、上述したプライヤ等の工具でブーツのフランジ部を挟む従来の方法では、ブーツのフランジ部に局所的に大きな力が加わることになり、また、ブーツに専用治具を被せてハンマーで叩く他の上記従来の方法ではブーツに大きな衝撃が加わることになるので、両方法には共にブーツに破損が生じ易いというデメリットがある。しかし、本実施形態の治具では、ブーツ４のフランジ部４ａ全体に対して、略均一に、かつ、ゆっくりと力を加えて圧入装着作業を行えるので、ブーツ４に破損が発生することを効果的に防止することができる。
【００２８】
そして、ブーツ４のフランジ部４ａ全体に対して略均一に力を加えることができるという上記効果の奏功をより確実にするために、本実施形態では、図１、図２（Ａ）及び（Ｂ）に示すように、第一挟持部９においてブーツ４のフランジ部４ａに当接する側の端部（下端部）９ａを他の部位よりも肉厚（図示例ではフランジ状）に形成し、この端部９ａの先（下）端面がフランジ部４ａの上面全体にわたって当接するように構成してある。
【００２９】
ここで、本実施形態のソケット１の裏面（下面）には、図２（Ａ）及び（Ｂ）に示すように凸部１ａが存在するが、本実施形態の第二挟持部１０は凸部１ａを回避し得るリング状をしているので、第二挟持部１０をソケット１ａの裏面（下面）側に安定性良く当接させることができる。
【００３０】
また、本実施形態では、図１並びに図２（Ａ）及び（Ｂ）に示すように、一対の交差部材５，６における交差部の位置が可変となるように治具を構成してあるので、ソケット１、ブーツ４の大きさ等に応じて一対の挟持部９，１０の間隔を調整することができる。ここで、一般的なウォーターポンププライヤでは、開口範囲を大きくとる（先端部分を大きく開く）ためにピボット（ジョイント部分）がスライドし、また、その調整の段数を他種のプライヤよりも多くとった構造を採用しているのであり、例えば、斯かる公知の構造を、上記交差部の位置を多段階に可変とするための構造として採用することができる。
【００３１】
なお、本考案は、上記の実施の形態に何ら限定されず、本考案の要旨を逸脱しない範囲において種々に変形して実施し得ることは勿論である。例えば、以下のような変形例を挙げることができる。
【００３２】
ブーツ４は、その全体がゴム等の弾性体からなっていてもよいが、例えばブーツ４の一端側に金属製のリング体を装着してフランジ部４ａを金属製としてあってもよい。
【００３３】
一対の交差部材５，６における交差部の位置が可変でなくてもよく、また、可変とする場合には、交差部を段階的にではなく可変範囲における任意の位置で固定することができる構成を採用してもよい。
【００３４】
なお、上記変形例どうしを適宜組み合わせてもよいことはいうまでもない。
【符号の説明】
【００３５】
１    ソケット
２    ボールジョイント
３    ボールスタッド
３ａ  スタッド部
４    ブーツ
４ａ  フランジ部
５    交差部材
６    交差部材
７    把持部
８    把持部
９    第一挟持部
１０    第二挟持部
【図１】
0003166040.tif 000003
【図２】
0003166040.tif 000004